(57)【要約】  本出願の実施例は、データ伝送方法、ハンドオーバ方法および関連機器を提供する。本出願において、第１ネットワーク機器と第２ネットワーク機器とのネゴシエートによるＴＤＭモードの構成情報を搬送し、前記ＴＤＭモードの構成情報は、前記ユーザ機器がＴＤＭモードを使用するために使用され、ＴＤＭモードは、ユーザ機器と、第１ネットワーク機器および第２ネットワーク機器との接続を維持させるために使用され、ユーザ機器が第１ネットワーク機器からのハンドオーバ命令を受信した後、ユーザ機器は、第１ネットワーク機器または第２ネットワーク機器とのデータ伝送を実行する。本出願の実施例を採用すると、データ中断の持続時間を短縮することができる。
2021516882.tif 000002
【特許請求の範囲】
【請求項１】
データ伝送方法であって、
ユーザ機器が、第１ネットワーク機器からのハンドオーバ命令を受信することであって、前記ハンドオーバ命令は、前記第１ネットワーク機器と第２ネットワーク機器とのネゴシエートによる時分割多重化（ＴＤＭ）モードの構成情報を搬送し、前記ＴＤＭモードの構成情報は、前記ユーザ機器がＴＤＭモードを使用するために使用されることと、
前記ユーザ機器が、前記ＴＤＭモードで前記第１ネットワーク機器または前記第２ネットワーク機器とのデータ伝送を実行することとを含むことを特徴とする、前記データ伝送方法。
【請求項２】
前記ユーザ機器が、前記ＴＤＭモードで前記第１ネットワーク機器または前記第２ネットワーク機器とのデータ伝送を実行することは、
物理ダウンリンク制御チャネル（ＰＤＣＣＨ）によって構成されたアップリンク認可を検出せず、または前記ハンドオーバ命令が事前に構成されたアップリンク認可を提供しない場合、前記ユーザ機器は、前記ＴＤＭモードで前記第１ネットワーク機器とのデータ伝送を実行することを含むことを特徴とする、
請求項１に記載のデータ伝送方法。
【請求項３】
前記ユーザ機器が、前記ＴＤＭモードで前記第１ネットワーク機器または前記第２ネットワーク機器とのデータ伝送を実行することは、
前記ＰＤＣＣＨによって構成されたアップリンク認可を検出し、または前記ハンドオーバ命令が事前に構成されたアップリンク認可を提供する場合、前記ユーザ機器は、リンク属性情報に従って前記ＴＤＭモードでターゲットネットワーク機器とのデータ伝送を実行することを決定することであって、前記ターゲットネットワーク機器は、前記第１ネットワーク機器または前記第２ネットワーク機器を含むことを含むことを特徴とする、
請求項１または２に記載のデータ伝送方法。
【請求項４】
前記リンク属性情報はリンク品質を含み、前記ユーザ機器が、リンク属性情報に従って前記ＴＤＭモードでターゲットネットワーク機器とのデータ伝送を実行することを決定することであって、前記ターゲットネットワーク機器は、前記第１ネットワーク機器または前記第２ネットワーク機器を含むことは、
前記第１ネットワーク機器が配置されたリンクのリンク品質が、前記第２ネットワーク機器が配置されたリンクのリンク品質より高い場合、前記ユーザ機器は、前記ＴＤＭモードで前記第１ネットワーク機器とのデータ伝送を実行することを決定することと、
前記第２ネットワーク機器が配置されたリンクのリンク品質が、前記第１ネットワーク機器が配置されたリンクのリンク品質より高い場合、前記ユーザ機器は、前記ＴＤＭモードで前記第２ネットワーク機器とのデータ伝送を実行することを決定することとを含むことを特徴とする、
請求項３に記載のデータ伝送方法。
【請求項５】
ハンドオーバ方法であって、
第２ネットワーク機器が、第１ネットワーク機器からのハンドオーバ要求を受信することであって、前記ハンドオーバ要求は、ユーザ機器の無線周波数送受信機能を搬送することと、
前記第２ネットワーク機器が、前記無線周波数送受信機能に従って時分割多重化（ＴＤＭ）モードの構成情報を決定することと、
前記第２ネットワーク機器が、前記ハンドオーバ要求に対してハンドオーバ確認応答を前記第１ネットワーク機器に送信することであって、前記ハンドオーバ確認応答は前記ＴＤＭモードの構成情報を搬送し、前記ハンドオーバ確認応答は、前記第１ネットワーク機器が前記ＴＤＭモードの構成情報をユーザ機器に送信するために使用され、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用されることとを含むことを特徴とする、前記ハンドオーバ方法。
【請求項６】
前記第２ネットワーク機器が前記ハンドオーバ要求に対してハンドオーバ確認応答を前記第１ネットワーク機器に送信した後、前記方法は、
前記第２ネットワーク機器が前記ユーザ機器からのアップリンクデータを受信することを準備することをさらに含むことを特徴とする、
請求項５に記載のハンドオーバ方法。
【請求項７】
前記方法は、
ハンドオーバプロセスにおいて、前記第２ネットワーク機器が前記ユーザ機器からのアップリンクデータを受信することと、
前記第２ネットワーク機器がコアネットワークと接続しない場合、前記第２ネットワーク機器は前記アップリンクデータをキャッシュすることと、
前記第２ネットワーク機器が前記コアネットワークと接続した場合、前記第２ネットワーク機器は、前記アップリンクデータを前記コアネットワークに転送することとをさらに含むことを特徴とする、
請求項６に記載のハンドオーバ方法。
【請求項８】
前記第２ネットワーク機器は前記アップリンクデータをキャッシュした後、前記方法は、
前記第２ネットワーク機器が前記コアネットワークと接続した場合、前記第２ネットワーク機器は、キャッシュされた前記アップリンクデータを前記コアネットワークに転送することをさらに含むことを特徴とする、
請求項７に記載のハンドオーバ方法。
【請求項９】
ハンドオーバ方法であって、
第１ネットワーク機器が、ハンドオーバ要求を第２ネットワーク機器に送信することであって、前記ハンドオーバ要求は、ユーザ機器の無線周波数送受信機能を搬送することと、
前記第１ネットワーク機器が、前記第２ネットワーク機器からのハンドオーバ確認応答を受信することであって、前記ハンドオーバ確認応答は、前記第２ネットワーク機器が前記無線周波数送受信機能に従って決定された時分割多重化（ＴＤＭ）モードの構成情報を搬送することと、
前記第１ネットワーク機器がハンドオーバ命令をユーザ機器に送信することであって、前記ハンドオーバ命令は前記ＴＤＭモードの構成情報を搬送し、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用されることとを含むことを特徴とする、前記ハンドオーバ方法。
【請求項１０】
前記第１ネットワーク機器がハンドオーバ命令を前記ユーザ機器に送信した後、前記方法は、
ハンドオーバプロセスにおいて、前記第１ネットワーク機器が前記ユーザ機器からのアップリンクデータを受信することと、
前記第１ネットワーク機器が前記アップリンクデータをコアネットワークに転送することとをさらに含むことを特徴とする、
請求項９に記載のハンドオーバ方法。
【請求項１１】
前記第１ネットワーク機器がハンドオーバ命令を前記ユーザ機器に送信した後、前記方法は、
ハンドオーバプロセスにおいて、前記第１ネットワーク機器がダウンリンクデータを前記ユーザ機器に送信することをさらに含むことを特徴とする、
請求項９または１０に記載のハンドオーバ方法。
【請求項１２】
ユーザ機器であって、
通信ユニットおよび処理ユニットを含み、
前記処理ユニットは、前記通信ユニットを介して第１ネットワーク機器からのハンドオーバ命令を受信するように構成され、前記ハンドオーバ命令は、前記第１ネットワーク機器と第２ネットワーク機器とのネゴシエートによる時分割多重化（ＴＤＭ）モードの構成情報を搬送し、前記ＴＤＭモードの構成情報は、前記ユーザ機器がＴＤＭモードを使用するために使用され、
前記処理ユニットは、さらに、前記ＴＤＭモードで前記第１ネットワーク機器または前記第２ネットワーク機器とのデータ伝送を実行するように構成されることを特徴とする、前記ユーザ機器。
【請求項１３】
ネットワーク機器であって、
第１ネットワーク機器、第２ネットワーク機器およびユーザ機器を含む通信システムに適用され、前記ネットワーク機器は前記第２ネットワーク機器であり、通信ユニットおよび処理ユニットを含み、
前記処理ユニットは、前記通信ユニットを介して第１ネットワーク機器からのハンドオーバ要求を受信するように構成され、前記ハンドオーバ要求は、ユーザ機器の無線周波数送受信機能を搬送し、
前記処理ユニットは、さらに、前記無線周波数送受信機能に従って時分割多重化（ＴＤＭ）モードの構成情報を決定するように構成され、
前記処理ユニットは、さらに、前記通信ユニットを介して前記ハンドオーバ要求に対してハンドオーバ確認応答を前記第１ネットワーク機器に送信するように構成され、前記ハンドオーバ確認応答は前記ＴＤＭモードの構成情報を搬送し、前記ハンドオーバ確認応答は、前記第１ネットワーク機器が前記ＴＤＭモードの構成情報を前記ユーザ機器に送信するために使用され、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用されることを特徴とする、前記ネットワーク機器。
【請求項１４】
ネットワーク機器であって、
第１ネットワーク機器、第２ネットワーク機器およびユーザ機器を含む通信システムに適用され、前記ネットワーク機器は前記第１ネットワーク機器であり、通信ユニットおよび処理ユニットを含み、
前記処理ユニットは、前記通信ユニットを介してハンドオーバ要求を第２ネットワーク機器に送信するように構成され、前記ハンドオーバ要求は、ユーザ機器の無線周波数送受信機能を搬送し、
前記処理ユニットは、さらに、前記通信ユニットを介して前記第２ネットワーク機器からのハンドオーバ確認応答を受信するように構成され、前記ハンドオーバ確認応答は、前記第２ネットワーク機器が前記無線周波数送受信機能に従って決定された時分割多重化（ＴＤＭ）モードの構成情報を搬送し、
前記処理ユニットは、さらに、前記通信ユニットを介してハンドオーバ命令を前記ユーザ機器に送信するように構成され、前記ハンドオーバ命令は前記ＴＤＭモードの構成情報を搬送し、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用されることを特徴とする、前記ネットワーク機器。
【請求項１５】
ユーザ機器であって、
１つまたは複数のプロセッサ、１つまたは複数のメモリ、１つまたは複数のトランシーバ、および１つまたは複数のプログラムを含み、前記１つまたは複数のプログラムは前記メモリに記憶され、前記１つまたは複数のプロセッサによって実行されるように構成され、前記プログラムは、請求項１ないし４のいずれか一項に記載の方法のステップを実行するための命令を含むことを特徴とする、前記ユーザ機器。
【請求項１６】
ユーザ機器であって、
１つまたは複数のプロセッサ、１つまたは複数のメモリ、１つまたは複数のトランシーバ、および１つまたは複数のプログラムを含み、前記１つまたは複数のプログラムは前記メモリに記憶され、前記１つまたは複数のプロセッサによって実行されるように構成され、前記プログラムは、請求項５ないし８のいずれか一項に記載の方法のステップを実行するための命令を含むことを特徴とする、前記ユーザ機器。
【請求項１７】
ユーザ機器であって、
１つまたは複数のプロセッサ、１つまたは複数のメモリ、１つまたは複数のトランシーバ、および１つまたは複数のプログラムを含み、前記１つまたは複数のプログラムは前記メモリに記憶され、前記１つまたは複数のプロセッサによって実行されるように構成され、前記プログラムは、請求項９ないし１１のいずれか一項に記載の方法のステップを実行するための命令を含むことを特徴とする、前記ユーザ機器。
【請求項１８】
コンピュータ読み取り可能な記憶媒体であって、
電子データ交換のためのコンピュータプログラムが記憶され、前記コンピュータプログラムは、コンピュータが請求項１ないし４のいずれか一項に記載の方法のステップの命令を実行するようにすることを特徴とする、前記コンピュータ読み取り可能な記憶媒体。
【請求項１９】
コンピュータ読み取り可能な記憶媒体であって、
電子データ交換のためのコンピュータプログラムが記憶され、前記コンピュータプログラムは、コンピュータが請求項５ないし８のいずれか一項に記載の方法のステップの命令を実行するようにすることを特徴とする、前記コンピュータ読み取り可能な記憶媒体。
【請求項２０】
コンピュータ読み取り可能な記憶媒体であって、
電子データ交換のためのコンピュータプログラムが記憶され、前記コンピュータプログラムは、コンピュータが請求項９ないし１１のいずれか一項に記載の方法のステップの命令を実行するようにすることを特徴とする、前記コンピュータ読み取り可能な記憶媒体。
【発明の詳細な説明】
【技術分野】
【０００１】
本出願は、通信技術分野に関し、具体的に、データ伝送方法、ハンドオーバ方法および関連機器に関する。
【背景技術】
【０００２】
ネットワーク信号に変化が発生すると、ユーザ機器（ＵＥ：Ｕｓｅｒ  Ｅｑｕｉｐｍｅｎｔ）は、ロングタームエボリューション（ＬＴＥ：Ｌｏｎｇ  Ｔｅｒｍ  Ｅｖｏｌｕｔｉｏｎ）から広帯域コード分割多重接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）へのハンドオーバ、ＷＣＤＭＡからグローバル移動通信システム（ＧＳＭ：Ｇｌｏｂａｌ  Ｓｙｓｔｅｍ  ｆｏｒ  Ｍｏｂｉｌｅ）へのハンドオーバ、ＧＳＭからＷＣＤＭＡへのハンドオーバ、ＷＣＤＭＡからＬＴＥへのハンドオーバなどの、ハンドオーバを実行する。または、ＵＥが１つのセルグループ（ＣＧ：Ｃｅｌｌ  Ｇｒｏｕｐ）から別のセルグループに移動するときも、ＵＥは、現在アクセスしたセルグループから別のセルグループへのハンドオーバなどのハンドオーバを実行する。
【０００３】
現在、ハンドオーバプロセスは主に３つのプロセスを含み、この３つのプロセスは、ハンドオーバ準備プロセス、ハンドオーバ実行プロセスおよびハンドオーバ完了プロセスを含む。ハンドオーバ実行プロセスにおいて、ＵＥ側はネットワーク側と接続中断することが発生するため、ＵＥ側はネットワーク側とデータ中断することが発生する。
【発明の概要】
【発明が解決しようとする課題】
【０００４】
本出願の実施例は、データ中断の持続時間を短縮するために使用される、データ伝送方法、ハンドオーバ方法および関連機器を提供する。
【課題を解決するための手段】
【０００５】
第１態様によれば、本出願の実施例はデータ伝送方法を提供し、前記方法は、
ユーザ機器が、第１ネットワーク機器からのハンドオーバ命令を受信することであって、前記ハンドオーバ命令は、前記第１ネットワーク機器と第２ネットワーク機器との間でネゴシエートされたＴＤＭモードの構成情報を搬送し、前記ＴＤＭモードの構成情報は、前記ユーザ機器がＴＤＭモードを使用するために使用されることと、
前記ユーザ機器が、前記ＴＤＭモードで前記第１ネットワーク機器または前記第２ネットワーク機器とのデータ伝送を実行することとを含む。
【０００６】
第２態様によれば、本出願の実施例はハンドオーバ方法を提供し、前記方法は、
第２ネットワーク機器が、第１ネットワーク機器からのハンドオーバ要求を受信することであって、前記ハンドオーバ要求は、ユーザ機器の無線周波数送受信機能を搬送することと、
前記第２ネットワーク機器が、前記無線周波数送受信機能に従ってＴＤＭモードの構成情報を決定することと、
前記第２ネットワーク機器が、前記ハンドオーバ要求に対してハンドオーバ確認応答を前記第１ネットワーク機器に送信することであって、前記ハンドオーバ確認応答は前記ＴＤＭモードの構成情報を搬送し、前記ハンドオーバ確認応答は、前記第１ネットワーク機器が前記ＴＤＭモードの構成情報をユーザ機器に送信するために使用され、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用されることとを含む。
【０００７】
第３態様によれば、本出願の実施例はハンドオーバ方法を提供し、前記方法は、
第１ネットワーク機器が、ハンドオーバ要求を第２ネットワーク機器に送信することであって、前記ハンドオーバ要求は、ユーザ機器の無線周波数送受信機能を搬送することと、
前記第１ネットワーク機器が、前記第２ネットワーク機器からのハンドオーバ確認応答を受信することであって、前記ハンドオーバ確認応答は、前記第２ネットワーク機器が前記無線周波数送受信機能に従って決定されたＴＤＭモードの構成情報を搬送することと、
前記第１ネットワーク機器がハンドオーバ命令をユーザ機器に送信することであって、前記ハンドオーバ命令は前記ＴＤＭモードの構成情報を搬送し、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用されることとを含む。
【０００８】
第４態様によれば、本出願の実施例はユーザ機器を提供し、前記機器は、通信ユニットおよび処理ユニットを含み、ここで、
前記処理ユニットは、前記通信ユニットを介して第１ネットワーク機器からのハンドオーバ命令を受信するように構成され、前記ハンドオーバ命令は、前記第１ネットワーク機器と第２ネットワーク機器との間でネゴシエートされたＴＤＭモードの構成情報を搬送し、前記ＴＤＭモードの構成情報は、前記ユーザ機器がＴＤＭモードを使用するために使用され、
前記処理ユニットは、さらに、前記ＴＤＭモードで前記第１ネットワーク機器または前記第２ネットワーク機器とのデータ伝送を実行するように構成される。
【０００９】
第５態様によれば、本出願の実施例は、第１ネットワーク機器、第２ネットワーク機器およびユーザ機器を含む通信システムに適用されるネットワーク機器を提供し、前記ネットワーク機器は前記第２ネットワーク機器であり、前記機器は、通信ユニットおよび処理ユニットを含み、ここで、
前記処理ユニットは、前記通信ユニットを介して第１ネットワーク機器からのハンドオーバ要求を受信するように構成され、前記ハンドオーバ要求は、ユーザ機器の無線周波数送受信機能を搬送し、
前記処理ユニットは、さらに、前記無線周波数送受信機能に従ってＴＤＭモードの構成情報を決定するように構成され、
前記処理ユニットは、さらに、前記通信ユニットを介して前記ハンドオーバ要求に対してハンドオーバ確認応答を前記第１ネットワーク機器に送信するように構成され、前記ハンドオーバ確認応答は前記ＴＤＭモードの構成情報を搬送し、前記ハンドオーバ確認応答は、前記第１ネットワーク機器が前記ＴＤＭモードの構成情報を前記ユーザ機器に送信するために使用され、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用される。
【００１０】
第６態様によれば、本出願の実施例は、第１ネットワーク機器、第２ネットワーク機器およびユーザ機器を含む通信システムに適用されるネットワーク機器を提供し、前記ネットワーク機器は前記第１ネットワーク機器であり、前記機器は、通信ユニットおよび処理ユニットを含み、ここで、
前記処理ユニットは、前記通信ユニットを介してハンドオーバ要求を第２ネットワーク機器に送信するように構成され、前記ハンドオーバ要求は、ユーザ機器の無線周波数送受信機能を搬送し、
前記処理ユニットは、さらに、前記通信ユニットを介して前記第２ネットワーク機器からのハンドオーバ確認応答を受信するように構成され、前記ハンドオーバ確認応答は、前記第２ネットワーク機器が前記無線周波数送受信機能に従って決定されたＴＤＭモードの構成情報を搬送し、
前記処理ユニットは、さらに、前記通信ユニットを介してハンドオーバ命令を前記ユーザ機器に送信するように構成され、前記ハンドオーバ命令は前記ＴＤＭモードの構成情報を搬送し、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用される。
【００１１】
第７態様によれば、本出願の実施例は、１つまたは複数のプロセッサ、１つまたは複数のメモリ、１つまたは複数のトランシーバ、および１つまたは複数のプログラムを含むユーザ機器を提供し、前記１つまたは複数のプログラムは前記メモリに記憶され、前記１つまたは複数のプロセッサによって実行されるように構成され、前記プログラムは、第１態様に記載の方法のステップを実行するための命令を含む。
【００１２】
第８態様によれば、本出願の実施例は、１つまたは複数のプロセッサ、１つまたは複数のメモリ、１つまたは複数のトランシーバ、および１つまたは複数のプログラムを含むネットワーク機器を提供し、前記１つまたは複数のプログラムは前記メモリに記憶され、前記１つまたは複数のプロセッサによって実行されるように構成され、前記プログラムは、第２態様に記載の方法のステップを実行するための命令を含む。
【００１３】
第九態様によれば、本出願の実施例は、１つまたは複数のプロセッサ、１つまたは複数のメモリ、１つまたは複数のトランシーバ、および１つまたは複数のプログラムを含むネットワーク機器を提供し、前記１つまたは複数のプログラムは前記メモリに記憶され、前記１つまたは複数のプロセッサによって実行されるように構成され、前記プログラムは、第３態様に記載の方法のステップを実行するための命令を含む。
【００１４】
第１０態様によれば、本出願の実施例は、電子データ交換のためのコンピュータプログラムが記憶されコンピュータ読み取り可能な記憶媒体を提供し、ここで、前記コンピュータプログラムは、コンピュータが第１態様に記載の方法で説明されたステップの一部または全部を実行するようにする。
【００１５】
第１１態様によれば、本出願の実施例は、電子データ交換のためのコンピュータプログラムが記憶されコンピュータ読み取り可能な記憶媒体を提供し、ここで、前記コンピュータプログラムは、コンピュータが第２態様に記載の方法で説明されたステップの一部または全部を実行するようにする。
【００１６】
第１２態様によれば、本出願の実施例は、電子データ交換のためのコンピュータプログラムが記憶されコンピュータ読み取り可能な記憶媒体を提供し、ここで、前記コンピュータプログラムは、コンピュータが第３態様に記載の方法で説明されたステップの一部または全部を実行するようにする。
【００１７】
第１３態様によれば、本出願の実施例はコンピュータプログラム製品を提供し、前記コンピュータプログラム製品は、コンピュータプログラムが記憶された非一時的なコンピュータ読み取り可能な記憶媒体を含み、前記コンピュータプログラムは、コンピュータが第１態様に記載の方法で説明されたステップの一部または全部を実行するように操作することができる。前記コンピュータプログラム製品は、１つのソフトウェアインストールパッケージであり得る。
【００１８】
第１４態様によれば、本出願の実施例はコンピュータプログラム製品を提供し、前記コンピュータプログラム製品は、コンピュータプログラムが記憶された非一時的なコンピュータ読み取り可能な記憶媒体を含み、前記コンピュータプログラムは、コンピュータが第２態様に記載の方法で説明されたステップの一部または全部を実行するように操作することができる。前記コンピュータプログラム製品は、１つのソフトウェアインストールパッケージであり得る。
【００１９】
第１５態様によれば、本出願の実施例はコンピュータプログラム製品を提供し、前記コンピュータプログラム製品は、コンピュータプログラムが記憶された非一時的なコンピュータ読み取り可能な記憶媒体を含み、前記コンピュータプログラムは、コンピュータが第３態様に記載の方法で説明されたステップの一部または全部を実行するように操作することができる。前記コンピュータプログラム製品は、１つのソフトウェアインストールパッケージであり得る。
【００２０】
本出願では、第１ネットワーク機器および第２ネットワーク機器がネゴシエートしてユーザ機器にＴＤＭモードの構成情報を構成すると、ＴＤＭモードの構成情報はユーザ機器がＴＤＭモードを使用するために使用され、ＴＤＭモードはユーザ機器が第１ネットワーク機器および第２ネットワーク機器との接続を維持するために使用されるため、このようにして、ユーザ機器が第１ネットワーク機器からのハンドオーバ命令を受信した後、ユーザ機器が依然として第１ネットワーク機器または第２ネットワーク機器とのデータ伝送を実行することができるようにし、ハンドオーバによるデータ中断の問題を防ぐため、データ中断の持続時間を短縮することがわかる。
【００２１】
本出願のこれらの態様または他の態様は、以下の実施例の説明において、より簡単明瞭になる。
【図面の簡単な説明】
【００２２】
本出願の実施例または背景技術の技術的解決策をより明確に説明するために、本出願の実施例または背景技術の説明で使用される図面を以下に説明する。
【図１Ａ】本出願の実施例によって提供される無線通信システムの例示的なアーキテクチャ図である。
【図１Ｂ】本出願の実施例によって提供されるＬＴＥでの既存のハンドオーバプロセスの概略図である。
【図２】本出願の実施例によって提供されるユーザ機器の概略的な構造図である。
【図３】本出願の実施例によって提供されるネットワーク機器の概略的な構造図。
【図４】本出願の実施例によって提供されるデータ伝送方法の例示的なフローチャートである。
【図５】本出願の実施例によって提供されるハンドオーバ方法の例示的なフローチャートである。
【図６】本出願の実施例によって提供される別のハンドオーバ方法の例示的なフローチャートである。
【図７】本出願の実施例によって提供されるハンドオーバプロセスの概略図である。
【図８】本出願の実施例によって提供されるコンピュータ機器の概略的な構造図である。
【図９】本出願の実施例によって提供される別のコンピュータ機器の概略的な構造図である。
【発明を実施するための形態】
【００２３】
本出願の実施形態部分で使用される用語は、本出願の具体的な実施例のみを説明するためのものであり、本出願を限定するものではない。
【００２４】
本出願の明細書、特許請求の範囲および前記添付図面中の「第１」、「第２」、「第３」および「第４」などの用語は、特定の順番を制限するものではなく、異なる対象を区別するものである。加えて、「含む」、「有する」という用語およびそれらの任意の変形は、非排他的な包含を網羅することを意図する。
【００２５】
図１Ａは、本出願に関する無線通信システムを示す。前記無線通信システムは、未来進化型第５世代モバイル通信（５Ｇ：ｔｈｅ  ５ｔｈ  Ｇｅｎｅｒａｔｉｏｎ）システム、ニューラジオ（ＮＲ：Ｎｅｗ  Ｒａｄｉｏ）システム、マシンツーマシン通信（Ｍ２Ｍ：Ｍａｃｈｉｎｅ  ｔｏ  Ｍａｃｈｉｎｅ）システムなどであってもよく、ＬＴＥシステムに限定されない。図１Ａに示されたように、無線通信システム１００は、ユーザ機器１０１、第１ネットワーク機器１０２、第２ネットワーク機器１０３およびコアネットワーク１０４を含み得る。
【００２６】
第１ネットワーク機器１０２および第２ネットワーク機器１０３は基地局であり得、基地局はユーザ機器１０１と通信するために使用されてもよく、コアネットワーク１０４と通信するために使用されてもよい。基地局は、時分割同期符号分割多元接続（ＴＤ−ＳＣＤＭＡ：Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）システムの基地局トランシーバーステーション（ＢＴＳ：Ｂａｓｅ  Ｔｒａｎｓｃｅｉｖｅｒ  Ｓｔａｔｉｏｎ）であってもよく、ＬＴＥシステムの進化した基地局（ｅＮＢ：Ｅｖｏｌｕｔｉｏｎａｌ  Ｎｏｄｅ  Ｂ）、および５Ｇシステム、ニューラジオ（ＮＲ）システムの基地局であってもよい。一方、基地局は、アクセスポイント（ＡＰ：Ａｃｃｅｓｓ  Ｐｏｉｎｔ）、伝送ノード（Ｔｒａｎｓ  ＴＲＰ）、中央ユニット（ＣＵ：Ｃｅｎｔｒａｌ  Ｕｎｉｔ）または他のネットワークエンティティであってもよく、上記のネットワークエンティティの機能中の一部またはすべての機能を含むことができる。
【００２７】
ユーザ機器１０１は、無線通信システム１００において、固定式または移動式であってもよい。本出願のいくつかの実施例において、ユーザ機器１０１はモバイル機器、モバイルステーション（ｍｏｂｉｌｅ  ｓｔａｔｉｏｎ）、モバイルユニット（ｍｏｂｉｌｅ  ｕｎｉｔ）、Ｍ２Ｍ端末、ワイヤレスユニット、リモートユニット、ユーザエージェント、モバイルクライアントなどであってもよい。
【００２８】
具体的に、ネットワーク機器は、ネットワーク機器のコントローラ（未図示）の制御下で、無線インターフェース１０５を介してユーザ機器１０１と通信するために使用されることができる。いくつかの実施例において、前記ネットワーク機器のコントローラは、コアネットワークの一部であってもよく、ネットワーク機器に統合されてもよい。第１ネットワーク機器１０２と第２ネットワーク機器１０３との間、第１ネットワーク機器１０２とコアネットワーク１０４との間、第２ネットワーク機器１０３とコアネットワーク１０４との間は、バックホール（ｂｌａｃｋｈａｕｌ）インターフェース１０６（Ｘ２インターフェースなど）を介して、互いに直接的または間接的に通信することができる。
【００２９】
図１Ｂは、ＬＴＥでの既存のハンドオーバプロセスを示す。図１Ｂによって示されたハンドオーバプロセスにおいて、ハンドオーバ要求からハンドオーバ確認応答まではハンドオーバ準備プロセスであり、ＲＲＣ再構成からＲＲＣ再構成完成まではハンドオーバ実行プロセスであり、パスハンドオーバ要求からソースリソースの解放まではハンドオーバ完了プロセスである。目前のハンドオーバ実行プロセスにおいて、ユーザ機器とネットワーク機器のアップリンクリンクおよびダウンリンクは中断状態であり、ユーザ機器がアップリンクデータをネットワーク機器に送信することができず、ネットワーク機器によって配信されたダウンリンクデータを受信することもできないため、ユーザ機器は、ネットワーク機器とのデータ中断が発生する。
【００３０】
本出願において、ハンドオーバプロセスにおいて、第１ネットワーク機器１０２はソース基地局であり得、第２ネットワーク機器１０３はターゲット基地局であり得る。
【００３１】
本出願では、第１ネットワーク機器１０２および第２ネットワーク機器１０３がネゴシエートしてユーザ機器１０１にＴＤＭモードの構成情報を構成すると、ＴＤＭモードの構成情報はユーザ機器１０１がＴＤＭモードを使用するために使用され、ＴＤＭモードはユーザ機器１０１が第１ネットワーク機器１０２および第２ネットワーク機器１０３との接続を維持するために使用されるため、このようにして、ユーザ機器１０１が第１ネットワーク機器１０２からのハンドオーバ命令を受信した後、ユーザ機器１０１が依然として第１ネットワーク機器１０２または第２ネットワーク機器１０３とのデータ伝送を実行することができるようにし、ハンドオーバによるデータ中断の問題を防ぐため、データ中断の持続時間を短縮する。
【００３２】
図１Ａに示された無線通信システム１００は、本出願の技術的解決策をより明確に説明するためだけであり、本出願に対して制限を構成するものではないことに留意すべきである。当業者は、ネットワークアーキテクチャの進化および新しいサービスシナリオの出現につれて、本出願によって提供される技術的解決策は、類似した技術的問題にも同様に適用可能であることが分かることができる。
【００３３】
図２を参照すると、図２は、本出願のいくつかの実施例によって提供されるユーザ機器２００を示す。図２示されたように、ユーザ機器２００は、１つまたは複数のユーザ機器のプロセッサ２０１、メモリ２０２、通信インターフェース２０３、受信機２０５、送信機２０６、カプラ２０７、アンテナ２０８、ユーザインターフェース２０９、入力および出力モジュール（オーディオ入力出力モジュール２１０、ボタン入力モジュール２１１およびディスプレイ２１２などを含む）を含み得る。これらの部品は、バス２０４または他の方式を介して接続することができ、図２はバスを介して接続する方式を例とする。ここで、
通信インターフェース２０３は、ユーザ機器２００がネットワーク機器などの他の通信機器と通信するために使用される。具体的に、前記ネットワーク機器は、図３に示されたネットワーク機器３００であり得る。具体的に、通信インターフェース２０３は、ロングタームエボリューション（ＬＴＥ）（４Ｇ）通信インターフェースであってもよく、５Ｇまたは未来ニューラジオの通信インターフェースであってもよい。無線通信インターフェースに限定されず、ユーザ機器２００は、ローカルアクセスネットワーク（ＬＡＮ：Ｌｏｃａｌ  Ａｃｃｅｓｓ  Ｎｅｔｗｏｒｋ）インターフェースなどの有線の通信インターフェース２０３も構成することができる。
【００３４】
送信機２０６は、ユーザ機器のプロセッサ２０１によって出力された信号に対して信号変調などの送信処理を実行するために使用されることができる。受信機２０５は、アンテナ２０８によって受信されたモバイル通信信号に対して信号復調などの受信処理を実行するために使用されることができる。本出願のいくつかの実施例において、送信機２０６および受信機２０５は、ワイヤレスモデムと見なすことができる。ユーザ機器２００において、送信機２０６と受信機２０５の数は、両方とも１つまたは複数であり得る。アンテナ２０８は、伝送線路内の電磁エネルギーを自由空間内の電磁波に変換し、または自由空間内の電磁波を伝送線路内の電磁エネルギーに変換するために使用されることができる。カプラ２０７は、アンテナ３０８によって受信されたモバイル通信信号を複数のパスに分割し、これを複数の受信機２０５に割り当てるために使用される。
【００３５】
図２に示された送信機２０６および受信機２０５に加えて、ユーザ機器２００は、ＧＰＳモジュール、ブルートゥース（Ｂｌｕｅｔｏｏｔｈ）モジュール、ワイファイ（Ｗｉ−Ｆｉ：Ｗｉｒｅｌｅｓｓ  Ｆｉｄｅｌｉｔｙ）モジュールなどの他の通信部品をさらに含み得る。上記した無線通信信号に限定されず、ユーザ機器２００は、衛星信号、短波信号などの他の無線通信信号もサポートすることができる。無線通信に限定されず、ユーザ機器２００は、有線ネットワークインターフェース（ＬＡＮインターフェースなど）を構成して有線通信をサポートすることもできる。
【００３６】
前記入力および出力モジュールは、ユーザ機器２００とユーザ／外部環境との間の相互作用を実現するために使用されることができ、主に、オーディオ入力および出力モジュール２１０、ボタン入力モジュール２１１およびディスプレイ２１２などを含み得る。具体的に、前記入力および出力モジュールは、カメラ、タッチスクリーンおよびセンサなどをさらに含み得る。ここで、前記入力および出力モジュールのすべては、ユーザインターフェース２０９を介してユーザ機器のプロセッサ２０１と通信する。
【００３７】
メモリ２０２は端末のプロセッサ２０１に結合し、様々なソフトウェアプログラムおよび／または複数の命令セットを記憶するために使用される。具体的に、メモリ２０２は、高速ランダムメアクセスメモリを含むことができ、１つまたは複数の磁気ディスクメモリ、フラッシュメモリまたは他の不揮発性ソリッドステートメモリなどの不揮発性メモリを含むこともできる。メモリ２０２は、ＡＮＤＲＯＩＤ、ＩＯＳ、ＷＩＮＤＯＷＳ、またはＬＩＮＵＸなどの組み込み動作システムなどの、動作システム（以下、システムと略称する）を記憶することができる。メモリ２０２は、ネットワーク通信プログラムも記憶することができ、前記ネットワーク通信プログラムは、１つまたは複数の追加機器、１つまたは複数のユーザ機器、１つまたは複数のネットワーク機器と通信するために使用されることができる。メモリ２０２は、ユーザインターフェースプログラムも記憶することができ、前記ユーザインターフェースプログラムは、グラフィカル操作インターフェースを介してアプリケーションプログラムのコンテンツイメージを本物に近いように表示し、メニュー、ダイアログボックスおよびボタンなどの入力コントロールを介してアプリケーションプログラムに対するユーザの制御動作を受信することができる。
【００３８】
本出願のいくつかの実施例において、メモリ２０２は、本出願の１つまたは複数の実施例によって提供されるデータ伝送方法、ハンドオーバ方法はユーザ機器２００側の実現プログラムを記憶することができる。本出願の１つまたは複数の実施例によって提供されるデータ伝送方法、ハンドオーバ方法の実現に関して、以下の方法の実施例を参照してほしい。
【００３９】
本出願のいくつかの実施例において、ユーザ機器のプロセッサ２０１は、コンピュータ読み取り可能な命令を読み取りおよび実行するために使用されることができる。具体的に、ユーザ機器のプロセッサ２０１は、ユーザ機器２００側での本出願の１つまたは複数の実施例によって提供されるデータ伝送方法、ハンドオーバ方法の実現プログラムなど、メモリ２０２に記憶されたプログラムを呼び出して、前記プログラムに含まれた命令を実行するために使用されることができる。
【００４０】
図２によって示されたユーザ機器２００は本出願の実施例の一実現形態にすぎず、実際の応用では、ユーザ機器２００は、より多くまたはより少ない部品をさらに含み得、ここでは制限しないことに留意されたい。
【００４１】
図３を参照すると、図３は、本出願のいくつかの実施例によって提供されるネットワーク機器３００を示す。図３に示されたように、ネットワーク機器３００は、１つまたは複数のネットワーク機器のプロセッサ３０１、メモリ３０２、通信インターフェース３０３、送信機３０５、受信機３０６、カプラ３０７およびアンテナ３０８を含み得る。これらの部品は、バス３０４または他の方式を介して接続することができ、図４はバスを介して接続する方式を例とする。ここで、
通信インターフェース３０３は、ネットワーク機器３００がユーザ機器または他のネットワーク機器などの他の通信機器と通信するために使用される。具体的に、前記ユーザ機器は、図２に示されたユーザ機器２００であり得る。具体的に、通信インターフェース３０３は、ロングタームエボリューション（ＬＴＥ）（４Ｇ）通信インターフェースであってもよく、５Ｇまたは未来ニューラジオの通信インターフェースであってもよい。無線通信インターフェースに限定されず、ネットワーク機器３００は、有線の通信インターフェース３０３を構成して有線通信をサポートすることもでき、例えば、１つのネットワーク機器３００と他のネットワーク機器３００とのバックホールは有線通信接続であり得る。
【００４２】
送信機３０５は、ネットワーク機器のプロセッサ３０１によって出力された信号に対して信号変調などの送信処理を実行するために使用されることができる。受信機３０６は、アンテナ３０８によって受信されたモバイル通信信号に対して信号復調などの受信処理を実行するために使用されることができる。本出願のいくつかの実施例において、送信機３０５および受信機３０６は、ワイヤレスモデムと見なすことができる。ネットワーク機器３００において、送信機３０５と受信機３０６の数は、両方とも１つまたは複数であり得る。アンテナ３０８は、伝送線路内の電磁エネルギーを自由空間内の電磁波に変換し、または自由空間内の電磁波を伝送線路内の電磁エネルギーに変換するために使用されることができる。カプラ３０７は、モバイル通信信号号を複数のパスに分割し、これを複数の受信機３０６に割り当てるために使用されることができる。
【００４３】
メモリ３０２はネットワーク機器のプロセッサ３０１に結合し、様々なソフトウェアプログラムおよび／または複数の命令セットを記憶するために使用される。具体的に、メモリ３０２は、高速ランダムメアクセスメモリを含むことができ、１つまたは複数の磁気ディスクメモリ、フラッシュメモリまたは他の不揮発性ソリッドステートメモリなどの不揮発性メモリを含むこともできる。メモリ３０２は、ｕＣＯＳ、ＶｘＷｏｒｋｓおよびＲＴＬｉｎｕｘなどの組み込み動作システムなどの、動作システム（以下、システムと略称する）を記憶することができる。メモリ３０２は、ネットワーク通信プログラムも記憶することができ、前記ネットワーク通信プログラムは、１つまたは複数の追加機器、１つまたは複数のユーザ機器、１つまたは複数のユーザ機器と通信するために使用されることができる。
【００４４】
ネットワーク機器のプロセッサ３０１は無線チャネル管理を実行し、呼び出しおよび通信リンクの確立および破棄を実施し、制御領域内のユーザにセルハンドオーバ制御などを提供するために使用されることができる。具体的に、ネットワーク機器のプロセッサ３０１は、管理モジュール／通信モジュール（ＡＭ／ＣＭ：Ａｄｍｉｎｉｓｔｒａｔｉｏｎ  Ｍｏｄｕｌｅ／Ｃｏｍｍｕｎｉｃａｔ  ｉｏｎ  Ｍｏｄｕｌｅ）（音声交換および情報交換のためのセンタである）、基本モジュール（ＢＭ：Ｂａｓｉｃ  Ｍｏｄｕｌｅ）（呼び出し処理、シグナリング処理、無線リソース管理、無線リンク的管理および回路保守機能を完了するために使用される）、トランスコーダおよびサブ多重化ユニット（ＴＣＳＭ：Ｔｒａｎｓｃｏｄｅｒ  ａｎｄ  ＳｕｂＭｕｌｔｉｐｌｅｘｅｒ）（多重化、逆多重化およびトランスコーディング機能を完了するために使用される）などを含み得る。
【００４５】
本出願の実施例において、メモリ３０２は、本出願の１つまたは複数の実施例によって提供されるデータ伝送方法、ハンドオーバ方法は、ネットワーク機器３００側の実現プログラムを記憶することができる。本出願の１つまたは複数の実施例によって提供されるデータ伝送方法、ハンドオーバ方法の実現に関して、以下の方法の実施例を参照してほしい。
【００４６】
本出願の実施例では、ネットワーク機器のプロセッサ３０１は、コンピュータ読み取り可能な命令を読み取りおよび実行するために使用されることができる。具体的に、ネットワーク機器のプロセッサ３０１は、ネットワーク機器３００側での本出願の１つまたは複数の実施例によって提供されるデータ伝送方法、ハンドオーバ方法の実現プログラムなど、メモリ３０２に記憶されたプログラムを呼び出して、前記プログラムに含まれた命令を実行するために使用されることができる。
【００４７】
図３によって示されたネットワーク機器３００は本出願の実施例の一実現形態にすぎず、実際の応用では、ネットワーク機器３００は、より多くまたはより少ない部品をさらに含み得、ここでは制限しないことに留意されたい。
【００４８】
上記した無線通信システム１００、ユーザ機器２００およびネットワーク機器３００のそれぞれに対応する実施例に基づいて、本出願の実施例は、データ伝送方法およびハンドオーバ方法を提供する。
【００４９】
図４を参照すると、図４は、本出願の実施例によって提供されるデータ伝送方法の例示的なフローチャートであり、前記方法は、次のステップを含む。
【００５０】
ステップ４０１において、ユーザ機器は、第１ネットワーク機器からのハンドオーバ命令を受信し、前記ハンドオーバ命令は、第１ネットワーク機器と第２ネットワーク機器とのネゴシエートによる時分割多重化（ＴＤＭ：Ｔｅｓｔｉｎｇ  Ｄａｔａ  Ｍａｎａｇｅｍｅｎｔ）モードの構成情報を搬送し、前記ＴＤＭモードの構成情報は、ユーザ機器がＴＤＭモードを使用するために使用される。
【００５１】
ここで、ハンドオーバプロセスにおいて、第１ネットワーク機器はソース基地局であり得、第２ネットワーク機器はターゲット基地局であり得る。
【００５２】
ここで、ハンドオーバプロセスにおいて、前記ハンドオーバ命令は、第１ネットワーク機器がユーザ機器に送信した無線リソース制御（ＲＲＣ：Ｒａｄｉｏ  Ｒｅｓｏｕｒｃｅ  Ｃｏｎｔｒｏｌ）重構成命令であり得る。
【００５３】
ここで、ハンドオーバプロセスにおいて、ＴＤＭモードは、ユーザ機器が第１ネットワーク機器および第２ネットワーク機器との接続を維持するために使用される。ＴＤＭモードで、ユーザ機器は、異なるタイムスロットで異なるネットワーク機器（即ち、第１ネットワーク機器または第２ネットワーク機器）とのデータ伝送を実行することができるため、ユーザ機器は、第１ネットワーク機器および第２ネットワーク機器との接続を維持することができる。ＴＤＭモードがないと、ユーザ機器は、第１ネットワーク機器または第２ネットワーク機器のみと接続するように構成される。
【００５４】
ここで、ＴＤＭモードの構成情報は１ビットで示された。例えば、ユーザ機器が１つのＴＤＭモードのみをサポートすると、ＴＤＭモードの構成情報は１ビットで示され、例えば、１はユーザ機器がＴＤＭモードを使用することを示し、０はユーザ機器がＴＤＭモードを使用しないことを示す。さらに例えば、ユーザ機器が４つのＴＤＭモードをサポートすると、ＴＤＭモードの構成情報は２ビットで示され、例えば、４つのＴＤＭモードは、ＴＤＭモード１、ＴＤＭモード２、ＴＤＭモード３およびＴＤＭモード４を含み、００はユーザ機器がＴＤＭモード１を使用することを示し、０１はユーザ機器がＴＤＭモード２を使用することを示し、１０はユーザ機器がＴＤＭモード３を使用することを示し、１１はユーザ機器がＴＤＭモード４を使用することを示す。
【００５５】
ステップ４０２において、ユーザ機器は、前記ＴＤＭモードで第１ネットワーク機器または第２ネットワーク機器とのデータ伝送を実行する。
【００５６】
具体的な実現では、ハンドオーバ命令を受信した後、ユーザ機器は、ＴＤＭモード構成情報に基づいてＴＤＭモードを実行し、即ち、ユーザ機器はデュアル受信およびシングル送信モードに入る。ＴＤＭモードのユーザ機器を構成し、ハンドオーバプロセスにおいて、第１ネットワーク機器および第２ネットワーク機器のアップリンク接続のすべては使用することができる。
【００５７】
本出願では、第１ネットワーク機器および第２ネットワーク機器がネゴシエートしてユーザ機器にＴＤＭモードの構成情報を構成すると、ＴＤＭモードの構成情報はユーザ機器がＴＤＭモードを使用するために使用され、ＴＤＭモードはユーザ機器が第１ネットワーク機器および第２ネットワーク機器との接続を維持するために使用されるため、このようにして、ユーザ機器が第１ネットワーク機器からのハンドオーバ命令を受信した後、ユーザ機器が依然として第１ネットワーク機器または第２ネットワーク機器とのデータ伝送を実行することができるようにし、ハンドオーバによるデータ中断の問題を防ぐため、データ中断の持続時間を短縮することがわかる。
【００５８】
本出願のいくつかの実施例において、ユーザ機器が前記ＴＤＭモードで第１ネットワーク機器または第２ネットワーク機器とのデータ伝送を実行する具体的な実現形態は、次の通りである。
【００５９】
物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）によって構成されたアップリンク認可を検出せず、または上記したハンドオーバ命令が事前に構成されたアップリンク認可を提供しない場合、ユーザ機器は、前記ＴＤＭモードで前記第１ネットワーク機器とのデータ伝送を実行する。
【００６０】
具体的な実現では、ユーザ機器がＰＤＣＣＨによって構成されたアップリンク認可を検出せず、または第１ネットワーク機器によりユーザ機器に送信されたハンドオーバ命令が事前に構成されたアップリンク認可を提供しないと、ユーザ機器には、第２ネットワーク機器が配置されたリンクのアップリンク認可がないことを示し、この場合では、ユーザ機器は、第２ネットワーク機器とのデータ伝送を実行することができないため、この場合、ユーザ機器は第１ネットワーク機器のみとのデータ伝送を実行する。
【００６１】
本出願のいくつかの実施例において、ユーザ機器が前記ＴＤＭモードで第１ネットワーク機器または第２ネットワーク機器とのデータ伝送を実行する具体的な実現形態は、次の通りである。
【００６２】
ＰＤＣＣＨによって構成されたアップリンク認可を検出し、または前記ハンドオーバ命令が事前に構成されたアップリンク認可を提供する場合、ユーザ機器は、リンク属性情報に従って前記ＴＤＭモードでターゲットネットワーク機器とのデータ伝送を実行することを決定し、前記ターゲットネットワーク機器は、前記第１ネットワーク機器または前記第２ネットワーク機器を含む。
【００６３】
具体的な実現では、ユーザ機器がＰＤＣＣＨによって構成されたアップリンク認可を検出し、または第１ネットワーク機器によりユーザ機器に送信されたハンドオーバ命令が事前に構成されたアップリンク認可を提供すると、ユーザ機器には第２ネットワーク機器が配置されたリンクのアップリンク認可を有することを示し、この場合では、ユーザ機器は、第２ネットワーク機器とのデータ伝送を実行することができ、第１ネットワーク機器とのデータ伝送を実行することもできるため、この場合、ユーザ機器は、２つのリンクのリンク属性情報に従って、第１ネットワーク機器とのデータ伝送を実行するか第２ネットワーク機器とのデータ伝送を実行するかを決定することができる。
【００６４】
さらに、前記リンク属性情報はリンク品質を含み、ユーザ機器は、リンク属性情報に従って前記ＴＤＭモードでターゲットネットワーク機器とのデータ伝送を実行することを決定し、前記ターゲットネットワーク機器は、前記第１ネットワーク機器または前記第２ネットワーク機器を含む具体的な実現形態は、次の通りである。
【００６５】
前記第１ネットワーク機器が配置されたリンクのリンク品質が、前記第２ネットワーク機器が配置されたリンクのリンク品質より高い場合、ユーザ機器は、前記ＴＤＭモードで前記第１ネットワーク機器とのデータ伝送を実行することを決定し、
前記第２ネットワーク機器が配置されたリンクのリンク品質が、前記第１ネットワーク機器が配置されたリンクのリンク品質より高い場合、ユーザ機器は、前記ＴＤＭモードで前記第２ネットワーク機器とのデータ伝送を実行することを決定する。
【００６６】
ユーザ機器が第１ネットワーク機器とのデータ伝送を実行することができ、第２ネットワーク機器とのデータ伝送を実行することができる場合、ユーザ機器は、より優れたネットワーク品質を有するリンクを選択してデータ伝送を実行するため、データ伝送の適時性を向上させることがわかる。
【００６７】
図５を参照すると、図５は、本出願の実施例によって提供されるハンドオーバ方法の例示的なフローチャートであり、前記方法は、次のステップを含む。
【００６８】
ステップ５０１において、第２ネットワーク機器は、第１ネットワーク機器からのハンドオーバ要求を受信し、前記ハンドオーバ要求は、ユーザ機器の無線周波数送受信機能を搬送する。
【００６９】
ここで、ハンドオーバプロセスにおいて、第１ネットワーク機器はソース基地局であり得、第２ネットワーク機器はターゲット基地局であり得る。
【００７０】
ここで、ユーザ機器の無線周波数送受信機能とは、ユーザ機器のデュアル受信およびシングル送信能力を指す。
【００７１】
ここで、第１ネットワーク機器が第２ネットワーク機器にユーザ機器送信した無線周波数送受信機能は、ユーザ機器がＴＤＭモードをサポートすることを第２ネットワーク機器に知らせるために使用され、またはユーザ機器がどのようなＴＤＭモードをサポートするかを第２ネットワーク機器に知らせるために使用される。
【００７２】
ステップ５０２において、第２ネットワーク機器は、前記無線周波数送受信機能に従ってＴＤＭモードの構成情報を決定する。
【００７３】
具体的な実現では、第２ネットワーク機器は、まず、無線周波数送受信機能に従ってユーザ機器がＴＤＭモードをサポートするかどうかを決定し、サポートすると、第２ネットワーク機器は、無線周波数送受信機能に従ってどのＴＤＭモードをサポートするかを決定する。ユーザ機器が１つのＴＤＭモードのみをサポートすると、第２ネットワーク機器は、前記１つのＴＤＭモードに基づいてＴＤＭモードの構成情報を決定する。ユーザ機器が複数のＴＤＭモードのみをサポートすると、まず、１つのＴＤＭモードを選択し、その後、このＴＤＭモードに基づいてＴＤＭモードの構成情報を決定する。
【００７４】
ここで、ＴＤＭモードの構成情報は１ビットで示された。例えば、ユーザ機器が１つのＴＤＭモードのみをサポートすると、ＴＤＭモードの構成情報は１ビットで示され、例えば、１はユーザ機器がＴＤＭモードを使用することを示し、０はユーザ機器がＴＤＭモードを使用しないことを示す。さらに例えば、ユーザ機器が４つのＴＤＭモードをサポートすると、ＴＤＭモードの構成情報は２ビットで示され、例えば、４つのＴＤＭモードは、ＴＤＭモード１、ＴＤＭモード２、ＴＤＭモード３およびＴＤＭモード４を含み、００はユーザ機器がＴＤＭモード１を使用することを示し、０１はユーザ機器がＴＤＭモード２を使用することを示し、１０はユーザ機器がＴＤＭモード３を使用することを示し、１１はユーザ機器がＴＤＭモード４を使用することを示す。
【００７５】
ステップ５０３において、第２ネットワーク機器は、前記ハンドオーバ要求に対してハンドオーバ確認応答を前記第１ネットワーク機器に送信し、前記ハンドオーバ確認応答は前記ＴＤＭモードの構成情報を搬送し、前記ハンドオーバ確認応答は、第１ネットワーク機器が前記ＴＤＭモードの構成情報をユーザ機器に送信するために使用され、前記ＴＤＭモードの構成情報は、ユーザ機器がＴＤＭモードを使用するために使用され、前記ＴＤＭモードは、ユーザ機器が第１ネットワーク機器および第２ネットワーク機器との接続を維持するために使用される。
【００７６】
ここで、ハンドオーバプロセスにおいて、第１ネットワーク機器は、ＲＲＣ重構成命令を介してＴＤＭモードの構成情報をユーザ機器に送信することができる。
【００７７】
ここで、ハンドオーバプロセスにおいて、ＴＤＭモードは、ユーザ機器が第１ネットワーク機器および第２ネットワーク機器との接続を維持するために使用される。
【００７８】
本出願では、第１ネットワーク機器および第２ネットワーク機器がネゴシエートしてユーザ機器にＴＤＭモードの構成情報を構成すると、ＴＤＭモードの構成情報はユーザ機器がＴＤＭモードを使用するために使用され、ＴＤＭモードはユーザ機器が第１ネットワーク機器および第２ネットワーク機器との接続を維持するために使用されるため、このようにして、ユーザ機器が第１ネットワーク機器からのハンドオーバ命令を受信した後、ユーザ機器が依然として第１ネットワーク機器または第２ネットワーク機器とのデータ伝送を実行することができるようにし、ハンドオーバによるデータ中断の問題を防ぐため、データ中断の持続時間を短縮することがわかる。
【００７９】
本出願のいくつかの実施例において、ステップ５０３の後、前記方法は、
第２ネットワーク機器が前記ユーザ機器からのアップリンクデータを受信することを準備することをさらに含む。
【００８０】
ＴＤＭモードのユーザ機器を構成したため、ハンドオーバプロセスにおいて、第１ネットワーク機器および第２ネットワーク機器のアップリンク接続のすべては使用することができるため、ステップ５０３の後、第２ネットワーク機器はユーザ機器のアップリンクデータを受信する準備ができ、データ伝送の適時性を向上させることができることがわかる。
【００８１】
本出願のいくつかの実施例において、前記方法は、
ハンドオーバプロセスにおいて、前記第２ネットワーク機器が前記ユーザ機器からのアップリンクデータを受信することと、
前記第２ネットワーク機器がコアネットワークと接続しない場合、前記第２ネットワーク機器は前記アップリンクデータをキャッシュすることと、
前記第２ネットワーク機器が前記コアネットワークと接続した場合、前記第２ネットワーク機器は、前記アップリンクデータを前記コアネットワークに転送することとをさらに含む。
【００８２】
具体的な実現では、ハンドオーバプロセスにおいて、第２ネットワーク機器はコアネットワークとの接続を確立してないため、第２ネットワーク機器はユーザ機器からのアップリンクデータを受信した後、第２ネットワーク機器は、まず、第２ネットワーク機器がコアネットワークと接続したかどうかを決定し、第２ネットワーク機器は、第２ネットワーク機器がコアネットワークと接続したかどうかを決定し、具体的な方式は、第２ネットワーク機器が第２ネットワーク機器がサービングゲートウェイ（ＳＧＷ：Ｓｅｒｖｉｎｇ  Ｇａｔｅ  Ｗａｙ）アドレス情報を記憶したかどうかを決定し、記憶した場合、第２ネットワーク機器がコアネットワークと接続したことを示し、どうでない場合、接続を確立しないことを示す。
【００８３】
本実施例において、第２ネットワーク機器がコアネットワークと接続してない場合、第２ネットワーク機器は、まず、受信したアップリンクデータをキャッシュし、このようにして、アップリンクデータが失われないことを保証することができる。第２ネットワーク機器がコアネットワークと接続した場合、第２ネットワーク機器は、受信されたアップリンクデータをコアネットワークに直接に転送し、このようにして、データ伝送の適時性を向上させることができる。
【００８４】
本出願のいくつかの実施例において、第２ネットワーク機器が前記アップリンクデータをキャッシュした後、前記方法は、
第２ネットワーク機器がコアネットワークと接続した場合、第２ネットワーク機器は、キャッシュされた前記アップリンクデータをコアネットワークに転送することをさらに含む。
【００８５】
第２ネットワーク機器がコアネットワークと接続した場合、第２ネットワーク機器は、キャッシュされたアップリンクデータをコアネットワークに早速に転送し、このようにして、データ伝送の適時性を向上させることができることがわかる。
【００８６】
図６を参照すると、図６は、本出願の実施例によって提供されるハンドオーバ方法の例示的なフローチャートであり、前記方法は、次のステップを含む。
【００８７】
ステップ６０１において、第１ネットワーク機器はハンドオーバ要求を第２ネットワーク機器に送信し、前記ハンドオーバ要求は、ユーザ機器の無線周波数送受信機能を搬送する。
【００８８】
ここで、ハンドオーバプロセスにおいて、第１ネットワーク機器はソース基地局であり得、第２ネットワーク機器はターゲット基地局であり得る。
【００８９】
ここで、ユーザ機器の無線周波数送受信機能とは、ユーザ機器のデュアル受信およびシングル送信能力を指す。
【００９０】
ここで、第１ネットワーク機器が第２ネットワーク機器にユーザ機器送信した無線周波数送受信機能は、ユーザ機器がＴＤＭモードをサポートすることを第２ネットワーク機器に知らせるために使用され、またはユーザ機器がどのようなＴＤＭモードをサポートするかを第２ネットワーク機器に知らせるために使用される。
【００９１】
ステップ６０２において、第１ネットワーク機器は、第２ネットワーク機器からのハンドオーバ確認応答を受信し、前記ハンドオーバ確認応答は、第２ネットワーク機器が前記無線周波数送受信機能に従って決定されたＴＤＭモードの構成情報を搬送する。
【００９２】
ステップ６０３において、第１ネットワーク機器はハンドオーバ命令をユーザ機器に送信し、前記ハンドオーバ命令は前記ＴＤＭモードの構成情報を搬送し、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用される。
【００９３】
ここで、ハンドオーバプロセスにおいて、前記ハンドオーバ命令は、第１ネットワーク機器がユーザ機器に送信したＲＲＣ重構成命令であり得る。
【００９４】
ここで、ハンドオーバプロセスにおいて、ＴＤＭモードは、ユーザ機器が第１ネットワーク機器および第２ネットワーク機器との接続を維持するために使用される。
【００９５】
ここで、ＴＤＭモードの構成情報は１ビットで示された。例えば、ユーザ機器が１つのＴＤＭモードのみをサポートすると、ＴＤＭモードの構成情報は１ビットで示され、例えば、１はユーザ機器がＴＤＭモードを使用することを示し、０はユーザ機器がＴＤＭモードを使用しないことを示す。さらに例えば、ユーザ機器が４つのＴＤＭモードをサポートすると、ＴＤＭモードの構成情報は２ビットで示され、例えば、４つのＴＤＭモードは、ＴＤＭモード１、ＴＤＭモード２、ＴＤＭモード３およびＴＤＭモード４を含み、００はユーザ機器がＴＤＭモード１を使用することを示し、０１はユーザ機器がＴＤＭモード２を使用することを示し、１０はユーザ機器がＴＤＭモード３を使用することを示し、１１はユーザ機器がＴＤＭモード４を使用することを示す。
【００９６】
本出願では、第１ネットワーク機器および第２ネットワーク機器がネゴシエートしてユーザ機器にＴＤＭモードの構成情報を構成すると、ＴＤＭモードの構成情報はユーザ機器がＴＤＭモードを使用するために使用され、ＴＤＭモードはユーザ機器が第１ネットワーク機器および第２ネットワーク機器との接続を維持するために使用されるため、このようにして、ユーザ機器が第１ネットワーク機器からのハンドオーバ命令を受信した後、ユーザ機器が依然として第１ネットワーク機器または第２ネットワーク機器とのデータ伝送を実行することができるようにし、ハンドオーバによるデータ中断の問題を防ぐため、データ中断の持続時間を短縮することがわかる。
【００９７】
本出願のいくつかの実施例において、ステップ６０３の後、前記方法は、
ハンドオーバプロセスにおいて、前記第１ネットワーク機器が前記ユーザ機器からのアップリンクデータを受信することと、
前記第１ネットワーク機器が前記アップリンクデータをコアネットワークに転送することとをさらに含む。
【００９８】
具体的な実現では、現在、第１ネットワーク機器がユーザ機器からのアップリンクデータを受信した後、第１ネットワーク機器は、前記アップリンクデータを第２ネットワーク機器に転送する必要がある。本実施例において、第１ネットワーク機器がユーザ機器からのアップリンクデータを受信した後、第１ネットワーク機器は前記アップリンクデータをコアネットワークに直接に転送し、こうようにして、データ伝送の適時性を向上させることができる。
【００９９】
本出願のいくつかの実施例において、ステップ６０３の後、前記方法は、
ハンドオーバプロセスにおいて、前記第１ネットワーク機器はダウンリンクデータを前記ユーザ機器に送信することをさらに含む。
【０１００】
具体的な実現では、目前ハンドオーバプロセスにおいて、第１ネットワーク機器とユーザ機器との間のダウンリンク中断し、ユーザ機器とネットワーク機器との間のダウンリンクデータに中断が発生する。本実施例において、ハンドオーバプロセスにおいて、第１ネットワーク機器とユーザ機器との間のダウンリンクは接続し、ハンドオーバによるダウンリンクデータの中断という問題を回避する。
【０１０１】
図４、図５および図６を組み合わせて、本出願の実施例は、ハンドオーバプロセスの概略図を提供し、図７に示されたように、前記方法は、次のステップを含む。
【０１０２】
ステップ７０１において、第１ネットワーク機器は、測定構成をユーザ機器に送信し、ユーザ機器は第１ネットワーク機器からの測定構成を受信する。
【０１０３】
ステップ７０２において、ユーザ機器は、測定リポートを第１ネットワーク機器に送信し、第１ネットワーク機器は、ユーザ機器からの測定リポートを受信する。
【０１０４】
ステップ７０３において、第１ネットワーク機器は、接続要求を第２ネットワーク機器に送信し、第２ネットワーク機器は、第１ネットワーク機器からの接続要求を受信する。
【０１０５】
ステップ７０４において、第２ネットワーク機器は、前記接続要求に対して接続確認応答を第１ネットワーク機器に送信し、第１ネットワーク機器は、第２ネットワーク機器からの接続確認応答を受信する。
【０１０６】
ステップ７０５において、第１ネットワーク機器は、ハンドオーバ要求を第２ネットワーク機器に送信し、第２ネットワーク機器は、第１ネットワーク機器からのハンドオーバ要求を受信し、前記ハンドオーバ要求は、ユーザ機器の無線周波数送受信機能を搬送する。
【０１０７】
ステップ７０６において、第２ネットワーク機器は、ユーザの無線周波数送受信機能に従ってＴＤＭモードの構成情報を決定する。
【０１０８】
ステップ７０７において、第２ネットワーク機器は、前記ハンドオーバ要求に対してハンドオーバ確認応答を第１ネットワーク機器に送信し、第１ネットワーク機器は、第２ネットワーク機器からのハンドオーバ確認応答を受信し、前記ハンドオーバ確認応答は、前記ＴＤＭモードの構成情報を搬送する。
【０１０９】
ステップ７０８において、第２ネットワーク機器は、ユーザ機器からのアップリンクデータを受信することを準備する。
【０１１０】
ステップ７０９において、第１ネットワーク機器は、ハンドオーバ命令をユーザ機器に送信し、ユーザ機器は、第１ネットワーク機器からのハンドオーバ命令を受信し、前記ハンドオーバ命令は前記ＴＤＭモードの構成情報を搬送し、前記ＴＤＭモードの構成情報は、ユーザ機器がＴＤＭモードを使用するために使用され、前記ＴＤＭモードは、ユーザ機器が第１ネットワーク機器および第２ネットワーク機器との接続を維持するために使用される。
【０１１１】
ステップ７１０において、ＰＤＣＣＨによって構成されたアップリンク認可を検出せず、または前記ハンドオーバ命令が事前に構成されたアップリンク認可を提供しない場合、または、ＰＤＣＣＨによって構成されたアップリンク認可を検出し、またはハンドオーバ命令が事前に構成されたアップリンク認可を提供し、且つ第１ネットワーク機器が配置されたリンクのリンク品質が、第２ネットワーク機器が配置されたリンクのリンク品質より高い場合、ユーザ機器はアップリンクデータを第１ネットワーク機器に送信し、第１ネットワーク機器はユーザ機器からのアップリンクデータを受信する。
【０１１２】
ステップ７１１において、第１ネットワーク機器は、前記アップリンクデータをコアネットワークに転送し、コアネットワークは第１ネットワーク機器からの前記アップリンクデータを受信する。
【０１１３】
ステップ７１２において、ＰＤＣＣＨによって構成されたアップリンク認可を検出し、またはハンドオーバ命令が事前に構成されたアップリンク認可を提供し、且つ第２ネットワーク機器が配置されたリンクのリンク品質が、第１ネットワーク機器が配置されたリンクのリンク品質より高い場合、ユーザ機器はアップリンクデータを第２ネットワーク機器に送信し、第２ネットワーク機器はユーザ機器からのアップリンクデータを受信する。
【０１１４】
ステップ７１３において、第２ネットワーク機器がコアネットワークと接続しない場合、第２ネットワーク機器は前記アップリンクデータをキャッシュする。
【０１１５】
ここで、ステップ７１３の後に、第２ネットワーク機器がコアネットワークと接続した場合、第２ネットワーク機器は、キャッシュされた前記アップリンクデータをコアネットワークに早速に転送する。
【０１１６】
ステップ７１４において、第２ネットワーク機器がコアネットワークと接続した場合、第２ネットワーク機器は、前記アップリンクデータをコアネットワークに転送し、コアネットワークは第２ネットワーク機器からの前記アップリンクデータを受信する。
【０１１７】
ステップ７１５において、ユーザ機器は、ハンドオーバ命令に対してハンドオーバ完了応答を第２ネットワーク機器に送信し、第２ネットワーク機器は、ユーザ機器からのハンドオーバ完了応答を受信する。
【０１１８】
ステップ７１６において、第２ネットワーク機器はパスハンドオーバ要求をコアネットワークに送信し、コアネットワークは第２ネットワーク機器からのパスハンドオーバ要求を受信する。
【０１１９】
ステップ７１７において、コアネットワークは、前記パスハンドオーバ要求に対してパスハンドオーバ確認応答を第２ネットワーク機器に送信し、第２ネットワーク機器は、コアネットワークからのパスハンドオーバ確認応答を受信する。
【０１２０】
ステップ７１８において、第２ネットワーク機器はユーザ機器のコンテキスト解放要求を第１ネットワーク機器に送信し、第１ネットワーク機器は第２ネットワーク機器からのユーザ機器のコンテキスト解放要求を受信する。
【０１２１】
ステップ７１９において、第１ネットワーク機器は、ユーザ機器のコンテキストを解放する。
【０１２２】
本実施例に記載の内容の具体的な実現形態は前記方法を参照することができ、ここでは説明しないことに留意されたい。
【０１２３】
図８を参照すると、図８は、本出願の実施例によって提供されるコンピュータ機器８００であり、前記コンピュータ機器８００は、ユーザ機器、第１ネットワーク機器および第２ネットワーク機器を含む通信システムに適用され、コンピュータ機器８００はユーザ機器であってもよく、第１ネットワーク機器であってもよく、第２ネットワーク機器であってもよく、前記コンピュータ機器８００は、１つまたは複数のプロセッサ、１つまたは複数のメモリ、１つまたは複数のトランシーバ、および１つまたは複数のプログラムを含み、
前記１つまたは複数のプログラムは前記メモリに記憶され、前記１つまたは複数のプロセッサにより実行されるように構成される。
【０１２４】
一実施例において、コンピュータ機器８００がユーザ機器である場合、前記プログラムは、次のステップを実行するための命令を含み、
第１ネットワーク機器からのハンドオーバ命令を受信し、前記ハンドオーバ命令は、前記第１ネットワーク機器と第２ネットワーク機器との間でネゴシエートされたＴＤＭモードの構成情報を搬送し、前記ＴＤＭモードの構成情報は、前記ユーザ機器がＴＤＭモードを使用するために使用され、
前記ＴＤＭモードで前記第１ネットワーク機器または前記第２ネットワーク機器とのデータ伝送を実行する。
【０１２５】
さらに、前記ＴＤＭモードで前記第１ネットワーク機器または前記第２ネットワーク機器とのデータ伝送を実行する一方、前記プログラムは、具体的には、次のステップを実行するための命令を含み、
ＰＤＣＣＨによって構成されたアップリンク認可を検出せず、または前記ハンドオーバ命令が事前に構成されたアップリンク認可を提供しない場合、前記ＴＤＭモードで前記第１ネットワーク機器とのデータ伝送を実行する。
【０１２６】
さらに、前記ＴＤＭモードで前記第１ネットワーク機器または前記第２ネットワーク機器とのデータ伝送を実行する一方、前記プログラムは、具体的には、次のステップを実行するための命令を含み、
前記ＰＤＣＣＨによって構成されたアップリンク認可を検出し、または前記ハンドオーバ命令が事前に構成されたアップリンク認可を提供する場合、リンク属性情報に従って前記ＴＤＭモードでターゲットネットワーク機器とのデータ伝送を実行することを決定し、前記ターゲットネットワーク機器は、前記第１ネットワーク機器または前記第２ネットワーク機器を含む。
【０１２７】
さらに、リンク属性情報に従って前記ＴＤＭモードでターゲットネットワーク機器とのデータ伝送を実行することを決定し、前記ターゲットネットワーク機器は、前記第１ネットワーク機器または前記第２ネットワーク機器を含む一方、前記プログラムは、具体的には、次のステップを実行するための命令を含み、
前記第１ネットワーク機器が配置されたリンクのリンク品質が、前記第２ネットワーク機器が配置されたリンクのリンク品質より高い場合、前記ＴＤＭモードで前記第１ネットワーク機器とのデータ伝送を実行することを決定し、
前記第２ネットワーク機器が配置されたリンクのリンク品質が、前記第１ネットワーク機器が配置されたリンクのリンク品質より高い場合、前記ＴＤＭモードで前記第２ネットワーク機器とのデータ伝送を実行することを決定する。
【０１２８】
一実施例において、コンピュータ機器８００が第２ネットワーク機器である場合、前記プログラムは、次のステップを実行するための命令を含み、
第１ネットワーク機器からのハンドオーバ要求を受信し、前記ハンドオーバ要求は、ユーザ機器の無線周波数送受信機能を搬送し、
前記無線周波数送受信機能に従ってＴＤＭモードの構成情報を決定し、
前記ハンドオーバ要求に対してハンドオーバ確認応答を前記第１ネットワーク機器に送信し、前記ハンドオーバ確認応答は前記ＴＤＭモードの構成情報を搬送し、前記ハンドオーバ確認応答は、前記第１ネットワーク機器が前記ＴＤＭモードの構成情報をユーザ機器に送信するために使用され、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用される。
【０１２９】
さらに、前記ハンドオーバ要求に対してハンドオーバ確認応答を前記第１ネットワーク機器に送信した後、前記プログラムは、さらに、次のステップを実行するための命令を含み、
前記ユーザ機器からのアップリンクデータを受信することを準備する。
【０１３０】
さらに、前記プログラムは、さらに、次のステップ命令を実行するための命令を含み、
ハンドオーバプロセスにおいて、前記ユーザ機器からのアップリンクデータを受信し、
前記第２ネットワーク機器がコアネットワークと接続しない場合、前記アップリンクデータをキャッシュし、
前記第２ネットワーク機器が前記コアネットワークと接続した場合、前記アップリンクデータを前記コアネットワークに転送する。
【０１３１】
さらに、前記アップリンクデータをキャッシュした後、前記プログラムは、さらに、次のステップ命令を実行するための命令を含み、
前記第２ネットワーク機器が前記コアネットワークと接続した場合、キャッシュされた前記アップリンクデータを前記コアネットワークに転送する。
【０１３２】
一実施例において、コンピュータ機器８００が第１ネットワーク機器である場合、前記プログラムは、次のステップを実行するための命令を含み、
ハンドオーバ要求を第２ネットワーク機器に送信し、前記ハンドオーバ要求は、ユーザ機器の無線周波数送受信機能を搬送し、
前記第２ネットワーク機器からのハンドオーバ確認応答を受信し、前記ハンドオーバ確認応答は、前記第２ネットワーク機器が前記無線周波数送受信機能に従って決定されたＴＤＭモードの構成情報を搬送し、
ハンドオーバ命令をユーザ機器に送信し、前記ハンドオーバ命令は前記ＴＤＭモードの構成情報を搬送し、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用される。
【０１３３】
さらに、ハンドオーバ命令を前記ユーザ機器に送信した後、前記プログラムは、さらに、次のステップを実行するための命令を含み、
ハンドオーバプロセスにおいて、前記ユーザ機器からのアップリンクデータを受信し、
前記アップリンクデータをコアネットワークに転送する。
【０１３４】
さらに、ハンドオーバ命令を前記ユーザ機器に送信した後、前記プログラムは、さらに、次のステップを実行するための命令を含み、
ハンドオーバプロセスにおいて、ダウンリンクデータを前記ユーザ機器に送信する。
【０１３５】
本実施例に記載の内容の具体的な実現形態は前記方法を参照することができ、ここでは説明しないことに留意されたい。
【０１３６】
図９を参照すると、図９は、本出願の実施例によって提供されるコンピュータ機器９００であり、前記コンピュータ機器９００は、ユーザ機器、第１ネットワーク機器および第２ネットワーク機器を含む通信システムに適用され、コンピュータ機器９００はユーザ機器であってもよく、第１ネットワーク機器であってもよく、第２ネットワーク機器であってもよく、ユーザ機器９００は、処理ユニット９０１、通信ユニット９０２および記憶ユニット９０３を含む。
【０１３７】
一実施例において、コンピュータ機器９００がユーザ機器である場合、
処理ユニット９０１は、通信ユニット９０２を介して第１ネットワーク機器からのハンドオーバ命令を受信するように構成され、前記ハンドオーバ命令は、前記第１ネットワーク機器と第２ネットワーク機器との間でネゴシエートされたＴＤＭモードの構成情報を搬送し、前記ＴＤＭモードの構成情報は、前記ユーザ機器がＴＤＭモードを使用するために使用され、
処理ユニット９０１は、さらに、前記ＴＤＭモードで前記第１ネットワーク機器または前記第２ネットワーク機器とのデータ伝送を実行するように構成される。
【０１３８】
さらに、前記ＴＤＭモードで前記第１ネットワーク機器または前記第２ネットワーク機器とのデータ伝送を実行する一方、処理ユニット９０１は、具体的に、
ＰＤＣＣＨによって構成されたアップリンク認可を検出せず、または前記ハンドオーバ命令が事前に構成されたアップリンク認可を提供しない場合、前記ＴＤＭモードで前記第１ネットワーク機器とのデータ伝送を実行するように構成される。
【０１３９】
さらに、前記ＴＤＭモードで前記第１ネットワーク機器または前記第２ネットワーク機器とのデータ伝送を実行する一方、処理ユニット９０１は、具体的に、
前記ＰＤＣＣＨによって構成されたアップリンク認可を検出し、または前記ハンドオーバ命令が事前に構成されたアップリンク認可を提供する場合、リンク属性情報に従って前記ＴＤＭモードでターゲットネットワーク機器とのデータ伝送を実行することを決定するように構成され、前記ターゲットネットワーク機器は、前記第１ネットワーク機器または前記第２ネットワーク機器を含む。
【０１４０】
さらに、リンク属性情報に従って前記ＴＤＭモードでターゲットネットワーク機器とのデータ伝送を実行することを決定し、前記ターゲットネットワーク機器は、前記第１ネットワーク機器または前記第２ネットワーク機器を含む一方、処理ユニット９０１は、具体的に、
前記第１ネットワーク機器が配置されたリンクのリンク品質が、前記第２ネットワーク機器が配置されたリンクのリンク品質より高い場合、前記ＴＤＭモードで前記第１ネットワーク機器とのデータ伝送を実行することを決定し、
前記第２ネットワーク機器が配置されたリンクのリンク品質が、前記第１ネットワーク機器が配置されたリンクのリンク品質より高い場合、前記ＴＤＭモードで前記第２ネットワーク機器とのデータ伝送を実行することを決定するように構成される。
【０１４１】
一実施例において、コンピュータ機器９００が第２ネットワーク機器である場合、
処理ユニット９０１は、通信ユニット９０２を介して第１ネットワーク機器からのハンドオーバ要求を受信するように構成され、前記ハンドオーバ要求は、ユーザ機器の無線周波数送受信機能を搬送し、
処理ユニット９０１は、さらに、前記無線周波数送受信機能に従ってＴＤＭモードの構成情報を決定するように構成され、
処理ユニット９０１は、さらに、通信ユニット９０２を介して前記ハンドオーバ要求に対してハンドオーバ確認応答を前記第１ネットワーク機器に送信するように構成され、前記ハンドオーバ確認応答は前記ＴＤＭモードの構成情報を搬送し、前記ハンドオーバ確認応答は、前記第１ネットワーク機器が前記ＴＤＭモードの構成情報をユーザ機器に送信するために使用され、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用される。
【０１４２】
さらに、前記ハンドオーバ要求に対してハンドオーバ確認応答を前記第１ネットワーク機器に送信した後、
処理ユニット９０１は、さらに、前記ユーザ機器からのアップリンクデータを受信することを準備するように構成される。
【０１４３】
さらに、処理ユニット９０１は、さらに、ハンドオーバプロセスにおいて、通信ユニット９０２を介して前記ユーザ機器からのアップリンクデータを受信するように構成され、
処理ユニット９０１は、さらに、前記第２ネットワーク機器がコアネットワークと接続しない場合、前記アップリンクデータをキャッシュするように構成され、
処理ユニット９０１は、さらに、前記第２ネットワーク機器が前記コアネットワークと接続した場合、通信ユニット９０２を介して前記アップリンクデータを前記コアネットワークに転送するように構成される。
【０１４４】
さらに、前記アップリンクデータをキャッシュした後、
処理ユニット９０１は、さらに、前記第２ネットワーク機器が前記コアネットワークと接続した場合、通信ユニット９０２を介して、キャッシュされた前記アップリンクデータを前記コアネットワークに転送するように構成される。
【０１４５】
一実施例において、コンピュータ機器９００が第１ネットワーク機器である場合、
処理ユニット９０１は、通信ユニット９０２を介してハンドオーバ要求を第２ネットワーク機器に送信するように構成され、前記ハンドオーバ要求は、ユーザ機器の無線周波数送受信機能を搬送し、
処理ユニット９０１は、さらに、通信ユニット９０２を介して前記第２ネットワーク機器からのハンドオーバ確認応答を受信するように構成され、前記ハンドオーバ確認応答は、前記第２ネットワーク機器が前記無線周波数送受信機能に従って決定されたＴＤＭモードの構成情報を搬送し、
処理ユニット９０１は、さらに、通信ユニット９０２を介してハンドオーバ命令をユーザ機器に送信するように構成され、前記ハンドオーバ命令は前記ＴＤＭモードの構成情報を搬送し、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用される。
【０１４６】
さらに、ハンドオーバ命令を前記ユーザ機器に送信した後、
処理ユニット９０１は、さらに、ハンドオーバプロセスにおいて、通信ユニット９０２を介して前記ユーザ機器からのアップリンクデータを受信するように構成され、
処理ユニット９０１は、さらに、通信ユニット９０２を介して前記アップリンクデータをコアネットワークに転送するように構成される。
【０１４７】
さらに、ハンドオーバ命令を前記ユーザ機器に送信した後、
処理ユニット９０１は、ハンドオーバプロセスにおいて、通信ユニット９０２を介してダウンリンクデータを前記ユーザ機器に送信するように構成される。
【０１４８】
ここで、処理ユニット９０１は、プロセッサまたはコントローラであることができ、例えば、中央処理装置（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、トランジスタロジックデバイス、ハードウェア部品またはその任意の組み合わせであることができる。本出願の開示内容に合わせて記載した様々な例示的な論理ブロック、モジュールおよび回路を実現または実行してもよい。前記プロセッサはコンピューティング機能を実現する組み合わせであってもよく、例えば、１つまたは複数のマイクロプロセッサを含む組み合わせ、ＤＳＰとマイクロプロセッサの組み合わせなどでもよい。通信ユニット９０２はトランシーバ、トランシーバ回路、無線周波数チップ、通信インターフェースなどであり、記憶ユニット９０３はメモリであり得る。
【０１４９】
処理ユニット９０１がプロセッサであり、通信ユニット９０２が通信インターフェースであり、記憶ユニット９０３がメモリである場合、本出願の実施例に関するコンピュータ機器は、図８に示されたコンピュータ機器であり得る。
【０１５０】
本出願の実施例は、コンピュータ読み取り可能な記憶媒体をさらに提供し、ここで、前記コンピュータ読み取り可能な記憶媒体は、電子データ交換用のコンピュータプログラムを記憶し、ここで、前記コンピュータプログラムは、コンピュータに前記データ伝送制御方法実施例におけるユーザ機器、第１ネットワーク機器または第２ネットワーク装置に記載のステップの一部または全部を実行させる。
【０１５１】
本出願の実施例は、コンピュータプログラム製品をさらに提供し、ここで、前記コンピュータプログラム製品は、コンピュータプログラムを記憶する非一時的コンピュータ読み取り可能な記憶媒体を含み、前記コンピュータプログラムは、コンピュータに前記データ伝送制御方法におけるユーザ機器、第１ネットワーク機器または第２ネットワーク装置に記載のステップの一部または全部を実行させるように動作可能である。前記コンピュータプログラム製品は、１つのソフトウェアインストールパッケージであり得る。
【０１５２】
本出願の実施例に記載の方法またはアルゴリズムのステップは、ハードウェアの方式で実装されてもよく、プロセッサによってソフトウェア命令を実行する方式で実装されてもよい。ソフトウェア命令は、対応するソフトウェアモジュールによって構成されることができ、ソフトウェアモジュールは、ランダムアクセスメモリ（ＲＡＭ：Ｒａｎｄｏｍ  Ａｃｃｅｓｓ  Ｍｅｍｏｒｙ）、フラッシュメモリ、読み取り専用メモリ（ＲＯＭ：Ｒｅａｄ  Ｏｎｌｙ  Ｍｅｍｏｒｙ）、消去可能プログラマブル読み取り専用メモリ（ＥＰＲＯＭ：Ｅｒａｓａｂｌｅ  Ｐｒｏｇｒａｍｍａｂｌｅ  ＲＯＭ）、電気的消去可能プログラマブル読み取り専用メモリ（ＥＥＰＲＯＭ：Ｅｌｅｃｔｒｉｃａｌｌｙ  ＥＰＲＯＭ）、レジスタ、ハードディスク、リムーバブルハードディスク、コンパクトディスクリードオンリーメモリ（ＣＤ−ＲＯＭ）または当技術分野で既知のその他のいずれの形態の記憶媒体に記憶されてもよい。ある例示的な記憶媒体は、プロセッサが当該記憶媒体から情報を読み取り、当該記憶媒体に情報を書き込むことができるように、プロセッサに結合される。もちろん、記憶媒体は、プロセッサの構成部分であることもできる。プロセッサおよび記憶媒体は、ＡＳＩＣに配置されることができる。さらに、当該ＡＳＩＣは、アクセスネットワーク装置、ターゲットネットワーク装置またはコアネットワーク装置に配置されることができる。もちろん、プロセッサおよび記憶媒体は、アクセスネットワーク装置、ターゲットネットワーク装置またはコアネットワーク装置に個別のコンポーネントとして存在することもできる。
【０１５３】
当業者は、前記１つ以上の示例において、本出願の実施例で説明された機能は、ソフトウェア、ハードウェア、ファームウェアまたはそれらの任意の組み合わせによって全体的または部分的に実現することができることを理解すべきである。ソフトウェアを使用して実現する場合、コンピュータプログラム製品の形態で全体的または部分的に実現することができる。前記コンピュータプログラム製品は、１つまたは複数のコンピュータ命令を含む。コンピュータに前記コンピュータプログラム命令をロードして実行する場合、本出願の実施例に記載のプロセスまたは機能を全体的または部分的に生成する。前記コンピュータは、汎用コンピュータ、専用コンピュータ、コンピュータネットワーク、または他のプログラマブル装置であり得る。前記コンピュータ命令は、コンピュータ読み取り可能な記憶媒体に記憶され、または１つのコンピュータ読み取り可能な記憶媒体から別のコンピュータ読み取り可能な記憶媒体に伝送することができ、例えば、前記コンピュータ命令は、有線（例えば、同軸ケーブル、光ファイバ、デジタル加入者線（ＤＳＬ：Ｄｉｇｉｔａｌ  Ｓｕｂｓｃｒｉｂｅｒ  Ｌｉｎｅ））または無線（例えば、赤外線、無線、マイクロ波等）を介して、１つのＷｅｂサイト、コンピュータ、サーバまたはデータセンタから別のＷｅｂサイト、コンピュータ、サーバまたはデータセンタに伝送することができる。前記コンピュータ読み取り可能な記憶媒体は、コンピュータがアクセス可能ないずれの利用可能な媒体であり、または１つ以上の利用可能な媒体によって統合されたサーバ、データセンタなどのデータ記憶装置であることができる。前記利用可能な媒体は、磁気媒体（例えば、フロッピーディスク、ハードディスク、磁気テープ）、光学媒体（例えば、デジタルビデオディスク（ＤＶＤ：Ｄｉｇｉｔａｌ  Ｖｉｄｅｏ  Ｄｉｓｃ））、または半導体媒体（例えば、ソリッドステートハードディスク（ＳＳＤ：Ｓｏｌｉｄ  Ｓｔａｔｅ  Ｄｉｓｋ））などであり得る。
【０１５４】
上記した具体的な実施形態は、本出願の実施例の目的、技術的解決策及び有利な効果に対してより詳しく説明したが、上記の説明は、単なる本出願の実施例の具体的な実施形態に過ぎず、本出願の実施例の保護範囲を限定することを意図するものではなく、本出願の実施例の技術的解決策に基づいて行われるあらゆる修正、同等の置換、改善などは、本出願の実施例の保護範囲に含まれるべきであることを理解されたい。
【図１Ａ】
2021516882.tif 000003
【図１Ｂ】
2021516882.tif 000004
【図２】
2021516882.tif 000005
【図３】
2021516882.tif 000006
【図４】
2021516882.tif 000007
【図５】
2021516882.tif 000008
【図６】
2021516882.tif 000009
【図７】
2021516882.tif 000010
【図８】
2021516882.tif 000011
【図９】
2021516882.tif 000012
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
データ伝送方法であって、
ユーザ機器が、第１ネットワーク機器からのハンドオーバ命令を受信することであって、前記ハンドオーバ命令は、前記第１ネットワーク機器と第２ネットワーク機器とのネゴシエートによる時分割多重化（ＴＤＭ）モードの構成情報を搬送し、前記ＴＤＭモードの構成情報は、前記ユーザ機器がＴＤＭモードを使用するために使用されることと、
前記ユーザ機器が、前記ＴＤＭモードで前記第１ネットワーク機器または前記第２ネットワーク機器とのデータ伝送を実行することとを含むことを特徴とする、前記データ伝送方法。
【請求項２】
前記ユーザ機器が、前記ＴＤＭモードで前記第１ネットワーク機器または前記第２ネットワーク機器とのデータ伝送を実行することは、
物理ダウンリンク制御チャネル（ＰＤＣＣＨ）によって構成されたアップリンク認可を検出せず、または前記ハンドオーバ命令が事前に構成されたアップリンク認可を提供しない場合、前記ユーザ機器は、前記ＴＤＭモードで前記第１ネットワーク機器とのデータ伝送を実行することを含むことを特徴とする、
請求項１に記載のデータ伝送方法。
【請求項３】
前記ユーザ機器が、前記ＴＤＭモードで前記第１ネットワーク機器または前記第２ネットワーク機器とのデータ伝送を実行することは、
前記ＰＤＣＣＨによって構成されたアップリンク認可を検出し、または前記ハンドオーバ命令が事前に構成されたアップリンク認可を提供する場合、前記ユーザ機器は、リンク属性情報に従って前記ＴＤＭモードでターゲットネットワーク機器とのデータ伝送を実行することを決定することであって、前記ターゲットネットワーク機器は、前記第１ネットワーク機器または前記第２ネットワーク機器を含むことを含むことを特徴とする、
請求項１または２に記載のデータ伝送方法。
【請求項４】
前記リンク属性情報はリンク品質を含み、前記ユーザ機器が、リンク属性情報に従って前記ＴＤＭモードでターゲットネットワーク機器とのデータ伝送を実行することを決定することであって、前記ターゲットネットワーク機器は、前記第１ネットワーク機器または前記第２ネットワーク機器を含むことは、
前記第１ネットワーク機器が配置されたリンクのリンク品質が、前記第２ネットワーク機器が配置されたリンクのリンク品質より高い場合、前記ユーザ機器は、前記ＴＤＭモードで前記第１ネットワーク機器とのデータ伝送を実行することを決定することと、
前記第２ネットワーク機器が配置されたリンクのリンク品質が、前記第１ネットワーク機器が配置されたリンクのリンク品質より高い場合、前記ユーザ機器は、前記ＴＤＭモードで前記第２ネットワーク機器とのデータ伝送を実行することを決定することとを含むことを特徴とする、
請求項３に記載のデータ伝送方法。
【請求項５】
ユーザ機器であって、
通信ユニットおよび処理ユニットを含み、
前記処理ユニットは、前記通信ユニットを介して第１ネットワーク機器からのハンドオーバ命令を受信するように構成され、前記ハンドオーバ命令は、前記第１ネットワーク機器と第２ネットワーク機器とのネゴシエートによる時分割多重化（ＴＤＭ）モードの構成情報を搬送し、前記ＴＤＭモードの構成情報は、前記ユーザ機器がＴＤＭモードを使用するために使用され、
前記処理ユニットは、さらに、前記ＴＤＭモードで前記第１ネットワーク機器または前記第２ネットワーク機器とのデータ伝送を実行するように構成されることを特徴とする、前記ユーザ機器。
【請求項６】
前記処理ユニットは、
物理ダウンリンク制御チャネル（ＰＤＣＣＨ）によって構成されたアップリンク認可を検出せず、または前記ハンドオーバ命令が事前に構成されたアップリンク認可を提供しない場合、前記通信ユニットを介して前記ＴＤＭモードで前記第１ネットワーク機器とのデータ伝送を実行するように構成されることを特徴とする、
請求項５に記載のユーザ機器。
【請求項７】
前記処理ユニットは、
前記ＰＤＣＣＨによって構成されたアップリンク認可を検出し、または前記ハンドオーバ命令が事前に構成されたアップリンク認可を提供する場合、リンク属性情報に従って前記ＴＤＭモードでターゲットネットワーク機器とのデータ伝送を実行することを決定するように構成され、前記ターゲットネットワーク機器は、前記第１ネットワーク機器または前記第２ネットワーク機器を含むことを特徴とする、
請求項５または６に記載のユーザ機器。
【請求項８】
前記リンク属性情報はリンク品質を含み、前記処理ユニットは、
前記第１ネットワーク機器が配置されたリンクのリンク品質が、前記第２ネットワーク機器が配置されたリンクのリンク品質より高い場合、前記通信ユニットを前記ＴＤＭモードで前記第１ネットワーク機器とのデータ伝送を実行することを決定し、
前記第２ネットワーク機器が配置されたリンクのリンク品質が、前記第１ネットワーク機器が配置されたリンクのリンク品質より高い場合、前記通信ユニットを前記ＴＤＭモードで前記第２ネットワーク機器とのデータ伝送を実行することを決定するように構成されることを特徴とする、
請求項７に記載のユーザ機器。
【請求項９】
ネットワーク機器であって、
第１ネットワーク機器、第２ネットワーク機器およびユーザ機器を含む通信システムに適用され、前記ネットワーク機器は前記第２ネットワーク機器であり、通信ユニットおよび処理ユニットを含み、
前記処理ユニットは、前記通信ユニットを介して第１ネットワーク機器からのハンドオーバ要求を受信するように構成され、前記ハンドオーバ要求は、ユーザ機器の無線周波数送受信機能を搬送し、
前記処理ユニットは、さらに、前記無線周波数送受信機能に従って時分割多重化（ＴＤＭ）モードの構成情報を決定するように構成され、
前記処理ユニットは、さらに、前記通信ユニットを介して前記ハンドオーバ要求に対してハンドオーバ確認応答を前記第１ネットワーク機器に送信するように構成され、前記ハンドオーバ確認応答は前記ＴＤＭモードの構成情報を搬送し、前記ハンドオーバ確認応答は、前記第１ネットワーク機器が前記ＴＤＭモードの構成情報を前記ユーザ機器に送信するために使用され、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用されることを特徴とする、前記ネットワーク機器。
【請求項１０】
前記通信ユニットを介して、前記ハンドオーバ要求に対してハンドオーバ確認応答を前記第１ネットワーク機器に送信した後、前記処理ユニットはさらに、
前記通信ユニットを介して、前記ユーザ機器からのアップリンクデータを受信することを準備するように構成されることを特徴とする、
請求項９に記載のネットワーク機器。
【請求項１１】
前記処理ユニットは、さらに、
ハンドオーバプロセスにおいて、前記通信ユニットを介して前記ユーザ機器からのアップリンクデータを受信し、
前記第２ネットワーク機器がコアネットワークと接続しない場合、前記アップリンクデータをバッファリングし、
前記コアネットワークと接続した場合、前記第２ネットワーク機器は、前記通信ユニットを介して前記アップリンクデータを前記コアネットワークに転送するように構成されることを特徴とする、
請求項９に記載のネットワーク機器。
【請求項１２】
前記アップリンクデータをバッファリングした後、前記処理ユニットは、さらに、
前記第２ネットワーク機器が前記コアネットワークと接続した場合、前記通信ユニットを介してバッファリングされた前記アップリンクデータを前記コアネットワークに転送するように構成されることを特徴とする、
請求項９に記載のネットワーク機器。
【請求項１３】
ネットワーク機器であって、
第１ネットワーク機器、第２ネットワーク機器およびユーザ機器を含む通信システムに適用され、前記ネットワーク機器は前記第１ネットワーク機器であり、通信ユニットおよび処理ユニットを含み、
前記処理ユニットは、前記通信ユニットを介してハンドオーバ要求を第２ネットワーク機器に送信するように構成され、前記ハンドオーバ要求は、ユーザ機器の無線周波数送受信機能を搬送し、
前記処理ユニットは、さらに、前記通信ユニットを介して前記第２ネットワーク機器からのハンドオーバ確認応答を受信するように構成され、前記ハンドオーバ確認応答は、前記第２ネットワーク機器が前記無線周波数送受信機能に従って決定された時分割多重化（ＴＤＭ）モードの構成情報を搬送し、
前記処理ユニットは、さらに、前記通信ユニットを介してハンドオーバ命令を前記ユーザ機器に送信するように構成され、前記ハンドオーバ命令は前記ＴＤＭモードの構成情報を搬送し、前記ＴＤＭモードの構成情報は、前記ユーザ機器がＴＤＭモードを使用するために使用され、前記ＴＤＭモードは、前記ユーザ機器が前記第１ネットワーク機器および前記第２ネットワーク機器との接続を維持するために使用されることを特徴とする、前記ネットワーク機器。
【請求項１４】
前記ハンドオーバ命令を前記ユーザ機器に送信した後、前記処理ユニットは、さらに、
ハンドオーバプロセスにおいて、前記通信ユニットを介して前記ユーザ機器からのアップリンクデータを受信し、
前記通信ユニットを介して、前記アップリンクデータを前記コアネットワークに転送するように構成されることを特徴とする、請求項１３に記載のネットワーク機器。
【請求項１５】
前記ハンドオーバ命令を前記ユーザ機器に送信した後、前記処理ユニットは、さらに、
ハンドオーバプロセスにおいて、前記通信ユニットを介してダウンリンクデータを前記ユーザ機器に送信するように構成されることを特徴とする、
請求項１３または１４に記載のネットワーク機器。
【国際調査報告】
2021516882.tif 000013
2021516882.tif 000014
2021516882.tif 000015
2021516882.tif 000016
2021516882.tif 000017
2021516882.tif 000018